(57)【要約】      （修正有）【課題】簡単な構造で、キャディバック内に収納されているクラブのヘッドやシャフトに傷が付くのを防止するゴルフクラブ用ヘッドカバーの提供。【解決手段】円周方向に複数の空気室を有する筒状もしくは袋状のゴルフクラブ用ヘッドカバーであって、該カバーの端部空気室の側縁の長さを他の部分の空気室の側縁の長さより大としたことを特徴とするゴルフクラブ用ヘッドカバーである。この空気室に空気を送入することでクラブ同士のぶつかり合いによる損傷を確実に防止することができる。【選択図】図１
0003148110.tif 000002
【実用新案登録請求の範囲】
【請求項１】
円周方向に複数の空気室を有する筒状もしくは袋状のゴルフクラブ用ヘッドカバーであって、該ゴルフクラブ用ヘッドカバーの端部空気室の幅は他の空気室の幅より大きいことを特徴とするゴルフクラブ用ヘッドカバー。
【請求項２】
端部空気室は円周方向に対して垂直方向に少なくとも１つ以上の割れ目を有することを特徴とする請求項１記載のゴルフクラブ用ヘッドカバー。
【請求項３】
端部空気室に空気の送入口を設けた請求項１または２記載のゴルフクラブ用ヘッドカバー。
【請求項４】
ゴルフクラブ用ヘッドカバーが融着可能な材料で構成されている請求項１〜３のいずれかの項に記載のゴルフクラブ用ヘッドカバー。
【考案の詳細な説明】
【技術分野】
【０００１】
本考案はゴルフクラブ用ヘッドカバーに関し、特にキャディバック内に収納してあるゴルフクラブヘッドに冠着するゴルフクラブ用ヘッドカバーに関する。
【背景技術】
【０００２】
ウッドやアイアンなどのゴルフクラブをキャディバック内に収納して運搬すると、クラブヘッド同士がぶつかり合ったり、或いはアイアンヘッドがウッドのシャフトに接触してこれらのゴルフクラブを傷つけることが多かった。これを防止しゴルフクラブを保護するために、従来個々のクラブヘッドにカバーを被せたり、或いはアイアンクラブヘッドにプラスチックシートからなるプチプチシートを袋状として冠着していた。しかし、この袋状のプチプチシートでは、ゴルフクラブヘッドによって破れたり、或いは袋状のプチプチシートには柔軟性がないためクラブヘッドから外れたりしてその目的を十分に達せられなかった。
そこで、この点を改良するため、種々のゴルフクラブのヘッドカバーが提案されている。例えば、特許文献１にはキャディバッグに収納されたアイアンクラブのヘッドを、フルセットで被装可能にカバー本体を袋状に縫成し、その口元に括り紐を周設したアイアンカバーにおいて、上記カバー本体に中仕切りを設けたことを特徴とするアイアンカバーが開示されている。また、特許文献２には長方形状の布地の、短辺の略中点を通る中心線に沿い二つ折りに重ね合わせた、それぞれの長辺の間にゴルフクラブヘッドが抜き差し可能なように開口部を形成するよう、その両端部を固着して少なくとも１つからなる袋部を有することを特徴とするゴルフクラブ用ヘッドカバーが提案されている。
【特許文献１】特開平８−２９４５５４号公報
【特許文献２】特開２０００−１４０１７１号公報
【考案の開示】
【考案が解決しようとする課題】
【０００３】
本考案者はより簡単な構造で、キャディバック内に収納されているゴルフクラブに傷が付くのを防止するゴルフクラブ用ヘッドカバーについて、種々検討した結果、本考案を完成したもので、本考案の目的は、キャディバック内に収納されているゴルフクラブに傷が付くのを確実に防止するため、ゴルフクラブヘッドに冠着するゴルフクラブヘッド用カバーを提供する。
【課題を解決するための手段】
【０００４】
本考案の要旨は、円周方向に複数の空気室を有する筒状もしくは袋状のゴルフクラブ用ヘッドカバーであって、該ゴルフクラブ用ヘッドカバーの端部空気室の幅は他の空気室の幅より大きいことを特徴とするゴルフクラブ用ヘッドカバーである。
【考案の効果】
【０００５】
本考案に係るゴルフクラブ用ヘッドカバーは、その端部空気室の幅が他の空気室の幅より大きいという極めて簡単な構造であって、この空気室に空気を送入すると、端部の空気室は他の空気室より大きく膨らみ、これをキャリバッグに収納されているゴルフクラブに冠着し、その上からキャリアバッグのフードを被せ抑えることによって、各クラブのキャディバッグ内での動きを拘束し、更にゴルフクラブの動きを固定してクラブ同士のぶつかり合いによるクラブの損傷を確実に防止することが出来る。そして、端部空気室には円周方向に対して垂直方向（以下、軸方向という）に割れ目（スリット）を設けることによって、更に外側より内側に強く抑えることが出来るので好ましい。
【考案を実施するための最良の形態】
【０００６】
本考案について詳細に述べる。
本考案に係るゴルフクラブ用ヘッドカバーは融着可能なフィルムをもって、所要個所を融着して構成されている。融着可能なフィルムとは、例えば、ポリエチレン、ポリプロピレン等の熱可塑性フィルム、共押出しフィルム、ラミネートフィルム等であって、これらのフィルムの所要個所を融着して円周方向に複数の空気室を有する筒状もしくはキャップ状のゴルフクラブ用ヘッドカバーを形成する。各空気室には未融着部分の通気路を設けて各空気室内の空気が流通出来るようにする。
【０００７】
本考案においては、端部の空気室の幅を他の空気室の幅より大きいので、空気室内に空気を挿入した場合、他の空気室より大きく膨らますことが出来る。また、端部空気室には空気室内に空気の送入または空気室内の空気の排出を行うために少なくとも１つ以上の逆止弁付き空気挿入口を設けることによって、不使用時に折り畳み小さくして保存が可能となるので好ましく、また、端部空気室に割れ目（スリット）を設けることによって、キャディバッグのフードで外側より内側に強く抑えることが出来るので好ましい。
【０００８】
本考案に係るゴルフクラブ用ヘッドカバーの形成方法の１例を述べると、融着可能な長方形の２枚のプラスチックフィルムを重ね所要の個所を融着して、その中間層に空気室が形成されるようにする。各空気室は短辺に沿って平行になるようにし、各空気室には連通路を設けて空気室内の空気が流通可能となるようにする。このようにして形成されたエアマットの両側縁部を融着して筒状とするか、或いは、その長辺のほぼ中央で２つ折りし両側縁部を融着して袋状とする。各空気室の大きさは緩衝作用を呈するような寸法で有れば良い。そして、本考案においては、端部の空気室の側縁の長さを他の部分の空気室の側縁の長さより大とし、必要に応じて該端部空気室の両側縁部に逆止弁を有する空気送入口を設けることが好ましく、更に、端部空気室には軸方向に割れ目を設けることによって外側より強く抑えることが出来るので、好ましい。
【０００９】
本考案に係るゴルフクラブ用ヘッドカバーは、このような極めて簡単な構造を有するものであって、使用に際しては当該ゴルフクラブ用ヘッドカバーをキャディバッグ内に収納されているウッド及びアイアンのヘッドに冠着し、その上よりキャディバッグのフードを被せて、外側より抑えする。空気室には予め空気を送入した後ウッド及びアイアンのヘッドに冠着しても良く、或いは、ヘッドカバーを被せた後、空気を送入してもよい。
しかして、本考案に係るゴルフクラブ用ヘッドカバーは端部の空気室の幅が他の空気室の幅より大きいので、大きく膨らみクラブのシャフトを抑え、各クラブのキャディバッグ内での動きを拘束し、更に、キャディバッグのフードでヘッドカバーの外側より押えることによって各クラブの動きを固定してクラブ同士のぶつかり合いによるクラブの損傷を防止することが出来る。また、端部の空気室には軸方向に割れ目（スリット）を設けることによって更に強く外側より内側に抑えることが出来る。そして、端部空気室には空気送入口を設け、不使用時には各空気室内の空気を抜くことによって小さく畳み込むことが出来ので、収納に便利であり、空気の送入、排出によって何回でも使用可能である。
【実施例】
【００１０】
次に実施例として本考案にかかるゴルフクラブ用ヘッドカバーを、図を以て示す。
図１は本考案にかかるゴルフクラブ用ヘッドカバーの斜視図、図２は割れ目を有するゴルフクラブ用ヘッドカバーの斜視図、図３はこれらの使用状態を示した斜視図である。図１において、表面及び裏面の２枚のプラスチックフィルム１，２を重ね、長辺の側縁部及び短辺に平行に任意個所を融着して複数の空気室３を有するエアマットを形成する。その際、端部空気室３’の側縁の長さを他の空気室３の側縁の長さより大とする。各空気室には通路を設けて空気室内の空気が流通出来るようにする。そして、長辺のほぼ中央５で２つ折りに折り返し、重ね合わせて側縁部6を融着して袋状とする。端部空気室３’には逆流防止弁を有する空気送入口7を設け、空気の送入、排出が出来るようにする。又、図２に示すように、端部空気室の表裏の両側縁部を未融着部として割れ目８としても良い。
使用に際しては、図３に示すように、本考案に係るゴルフクラブ用ヘッドカバーをキャディバッグ９に収納されているウッド及びアイアンに冠着し、その端部の大きく膨らんだ空気室３’がキャディバッグの開口部１０付近の各クラブのシャフトの動きを抑制し、その上よりキャディバッグのフード１１を被せ各クラブ同士のぶつかり合いを更に防止してクラブに傷が付くのを確実に防止する。
【産業上の利用可能性】
【００１１】
本考案は極めて簡単な構造のゴルフクラブ用ヘッドカバーであるにも拘わらず、確実にゴルフクラブのヘッドやウッドのシャフトを保護することができる。
【図面の簡単な説明】
【００１２】
【図１】本考案に係るゴルフクラブ用ヘッドカバーの斜視図
【図２】本考案に係る他のゴルフクラブ用ヘッドカバーの斜視図
【図３】本考案に係るゴルフクラブ用ヘッドカバーを使用した状態の斜視図
【符号の説明】
【００１３】
１，２  プラスチックフィルム  ３  空気室      ３’  端部空気室
４  融着部      ５  折り返し部      ６  側縁部
７  空気送入口      ８  端部空気室の割れ目      ９  キャディバッグ
１０  キャディバッグの開口部      １１  キャディバッグのフード
【図１】
0003148110.tif 000003
【図２】
0003148110.tif 000004
【図３】
0003148110.tif 000005